(57)【要約】      （修正有）【課題】リードの繰り出し及び巻き取りができ、リード繰り出し範囲を利用者の操作により任意に選択可能で、使用者が容易に携帯できる小型のリード収容装置を提供する。【解決手段】リード３と、略円環状のリールと、リード挿通孔及び略円弧状の中空の把持部９を備える中空の筐体７と、を具備し、前記リールが、前記筐体の前記持部内において回動自在に保持されており、前記リードが、前記リード挿通孔から外部に出ており、前記リールが正回転することにより外部に延ばすことができ、前記リールが逆回転することにより巻き取り可能であることを特徴とするリード収容装置１。【選択図】図１
2019088231.tif 000002
【特許請求の範囲】
【請求項１】
リードと、
略円環状のリールと、
リード挿通孔及び略円弧状の中空の把持部を備える中空の筐体と、を具備し、
前記リールが、前記筐体の前記持部内において回動自在に保持されており、
前記リードが、前記リード挿通孔から外部に出ており、前記リールが正回転することにより外部に延ばすことができ、前記リールが逆回転することにより巻き取り可能であること、
を特徴とするリード収容装置。
【請求項２】
前記リールが、内周面に第一ギアを備え、
前記筐体が、外周面に第二ギアを備えた歯車を内部に備え、
前記歯車が、前記第一ギアと前記第二ギアとが係合する位置で回転自在に配設されること、
特徴とする請求項１に記載のリード収容装置。
【請求項３】
前記歯車が、内部にゼンマイバネを備え、前記リードの繰り出しに伴う外力を受けて付勢力を蓄えつつ、前記外力の解除に伴って前記リールの逆方向への回転を付勢すること、
を特徴とする請求項１又は２に記載のリード収容装置。
【請求項４】
前記リールが、側面に被係合部を備え、
前記筐体が、前記被係合部に係合可能な係合部を具備した係合部材を内部に備え、
前記被係合部と前記係合部とが係合可能な係合可能状態と、前記被係合部と前記係合部とが係合不能な係合不能状態とに切り替え可能で、前記係合可能状態とすることにより、前記リールの回転を制限し、前記リードの繰り出し量を調節可能とすること、
を特徴とする請求項１〜３のいずれかに記載のリード収容装置。
【発明の詳細な説明】
【技術分野】
【０００１】
本発明は、リード等の引き紐の巻き取り及び繰り出しが可能なリード収容装置に関する。
【背景技術】
【０００２】
本発明は、愛玩動物（ペット）用のリード等の引き紐の巻き取り及び繰り出し可能なリード収容装置に関する。
【０００３】
従来、犬等のペットの散歩時に使用されるリードを収容する装置について、ゼンマイばね等の付勢部材により、付勢力に対抗してリードを繰り出しつつ、蓄えられた付勢力によりリードを巻き取る技術が提供されている。これらのリード収容装置は、ペットの動きに伴う外力によりリードを繰り出し、蓄えられた付勢力によりリードを巻き取る構造とされている。
【０００４】
本出願人に係る特許文献１では、リードの繰り出し限度においてリードの繰り出し及び巻き取りを可能としつつ、利用者の操作によりこれらのリードの繰り出し及び巻き取りを停止するリード収納装置が提案されている。特許文献１のリード収納装置では、巻き取り式のリールを用いてリードの繰り出しと巻き取りを可能としつつ、ロック装置を設けて、リードの繰り出しを緊急に停止したい場合に、リードの繰り出しを規制する技術が採用されている。
【０００５】
また、同じく、本出願人に係る特許文献２のリード収納装置では、リードの繰り出し及び巻き取りを可能とするリード繰り出し範囲を利用者の操作により選択することを可能とする技術が採用されている。
【先行技術文献】
【特許文献】
【０００６】
【特許文献１】特開２００９−１３６２１３号公報
【特許文献２】特開２０１６−２１４１４０号公報
【発明の概要】
【発明が解決しようとする課題】
【０００７】
しかしながら、上記特許文献に記載のような従来のリード収容装置では、リードを巻き付けて本体内に収納するリールと、使用者（愛玩動物の飼い主）が装置を操作する際に把持する把持部と、が構造上離間して配設されているため、どうしても装置の筐体サイズが大きくならざるを得なかった。例えば犬等の愛玩動物の散歩時は、使用者の身の回り品や排泄物処理具等の持参を余儀なくされるケースが多いため、大きなリード収容装置を持ち運ぶことが煩雑であり困難だった。
【０００８】
そこで、従来のリード収容装置の構造に着目すると、本体内にリールを配設するスペースと、把持部と、が別々に形成されているのが一般的であり、物理的に装置全体のサイズを小さくすることが困難なのは明らかであって、未だ改善の余地があった。
【０００９】
本発明は、上記問題に鑑みて創作されたものであり、リードの繰り出し及び巻き取りができ、リード繰り出し範囲を利用者の操作により任意に選択可能で、使用者が容易に携帯できる小型のリード収容装置を提供することを目的とする。
【課題を解決するための手段】
【００１０】
上記の課題を解決すべく、本発明は、
リードと、
略円環状のリールと、
リード挿通孔及び略円弧状の中空の把持部を備える中空の筐体と、を具備し、
前記リールが、前記筐体の前記持部内において回動自在に保持されており、
前記リードが、前記リード挿通孔から外部に出ており、前記リールが正回転することにより外部に延ばすことができ、前記リールが逆回転することにより巻き取り可能であること、
を特徴とするリード収容装置を提供する。
【００１１】
このような構成を有する本発明のリード収容装置では、筐体と略円弧状の把持部とが一体的に形成され、双方の内部を連通して一周する中空の通路を形成する。当該通路にリールが回転自在に配設され、リールの回転方向に応じてリードを外部に延ばす又は巻き取ることができるため、把持部内のスペースが有効に使用されて装置全体のサイズを大幅に小型化することができる。本リード収容装置は、特に愛玩動物の散歩時の使用に適しており、散歩時に身の回り品や排泄物処理具等の持参を余儀なくされる使用者が、装置を容易に携帯することができる。
【００１２】
また、本発明のリード収容装置については、
前記リールが、内周面に第一ギアを備え、
前記筐体が、外周面に第二ギアを備えた歯車を内部に備え、
前記歯車が、前記第一ギアと前記第二ギアとが係合する位置で回転自在に配設されることが望ましい。
【００１３】
このような構成を有する本発明のリード収容装置では、筐体内でリールの内周面に配設された第一ギアと、歯車の外周面に配設された第二ギアと、が嵌合し、双方が共回りする。これにより、リードの延長又は巻き取りに応じて、リールの回転と共に歯車を回転させることができる。
【００１４】
また、本発明のリード収容装置については、
前記歯車が、内部にゼンマイバネを備え、前記リードの繰り出しに伴う外力を受けて付勢力を蓄えつつ、前記外力の解除に伴って前記リールの逆方向への回転を付勢することが望ましい。
【００１５】
また、本発明のリード収容装置については、
前記リールが、側面に被係合部を備え、
前記筐体が、前記被係合部に係合可能な係合部を具備した係合部材を内部に備え、
前記被係合部と前記係合部とが係合可能な係合可能状態と、前記被係合部と前記係合部とが係合不能な係合不能状態とに切り替え可能で、前記係合可能状態とすることにより、前記リールの回転を制限し、前記リードの繰り出し量を調節可能とすることが望ましい。
【００１６】
このような構成を有する本発明のリード収容装置では、係合部材を通常位置としたまま、所望の長さが外部に放出されるまでリードを筐体外部に引っ張ることにより、リードの繰り出しに応じてリールが回転して、内周面に配設された第一ギアと歯車の外周面に配設された第二ギアとの嵌合で歯車が共回りし、歯車内部に配設されたゼンマイバネが歯車の回転に応じて巻かれ、付勢力が蓄積される。所望の長さが繰り出されるまでリードを外部に引っ張った後、係合部材の係合部をリールの被係合部に係合することにより、リールの回転を制止して固定することができ、筐体外部に放出されたリードの長さを維持することができる。
【００１７】
また、係合部材の係合部とリールの被係合部との係合を解除することにより、リールの制止状態が解除され、ゼンマイバネの蓄えられた付勢力が解放され、リードを外部に繰り出す際とは逆方向に歯車を付勢して回転させる。これにより、第二ギアと嵌合する第一ギアが応力を受け、リールが共回りしてリードを外部から筐体内部に巻き取ることができる。
【発明の効果】
【００１８】
本発明によれば、リードの繰り出し及び巻き取りができ、リード繰り出し範囲を利用者の操作により任意に選択可能で、使用者が容易に携帯できる小型のリード収容装置を提供することができる。
【図面の簡単な説明】
【００１９】
【図１】本実施形態におけるリード収容装置１の概要を説明する斜視図である。
【図２】本実施形態におけるリード収容装置１の部品構成を示す斜視図である。
【図３】図１におけるリード３の構造を示す平面図である。
【図４】図２におけるリール５の構造を示す斜視図である。
【図５】図２における歯車１１の構造を示す斜視図である。
【図６】図２における筐体７の構造を示す図であって、図６（ａ）は、筐体７の内部を示す斜視図であり、図６（ｂ）は、筐体７の外部を示す斜視図である。
【図７】図２におけるゼンマイバネ１７の構造を示す図であって、図７（ａ）は、ゼンマイバネ１７の正面図であり、図７（ｂ）は、ゼンマイバネ１７の一部を断面視した側面図である。
【図８】図２における係合部材２１の構造を示す斜視図である。
【図９】本実施形態におけるリード収容装置１の構成を示す断面図である。
【図１０】本実施形態におけるリード収容装置１の使用時の内部を示す図であって、図１０（ａ）は、リード３を外部に繰り出す際におけるリール５及び歯車１１の動きを示す模式図であり、図１０（ｂ）は、リード３を外部に繰り出す際における係合部材２１及びリール５の動きを示す模式図である。
【図１１】本実施形態におけるリード収容装置１の使用時の内部を示す図であって、図１１（ａ）は、リード３を筐体７内部に巻き取る際におけるリール５及び歯車１１の動きを示す模式図であり、図１１（ｂ）は、リード３を筐体７内部に巻き取る際における係合部材２１及びリール５の動きを示す模式図である。
【発明を実施するための形態】
【００２０】
以下、図１〜１１を参照しながら、本発明のリード収容装置１における代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２１】
１．リード収容装置１の概要
図１を用いて本実施形態におけるリード収容装置１の概要について説明する。図１は、本実施形態におけるリード収容装置１の概要を説明する斜視図である。図１に示すとおり、本実施形態のリード収容装置１は、愛玩動物に装着した首輪等に接続するリード３（引き紐）を、使用者が任意に巻き取り及び繰り出しを簡便に達成するものである。また、リード収容装置１は、筐体７内部に対するリード３を巻き付けるリール５の配置に創意工夫を施すことにより、筐体７のサイズをコンパクトにし、全体の運搬性及び収納性を好適に向上したものである。
【００２２】
２．リード収容装置１の構造
次に、図２を用いてリード収容装置１の部品構成について説明する。図２は、リード収容装置１の部品構成を示す斜視図である。これらを組み合わせることにより、図１に示す本実施形態のリード収容装置１が得られる。
【００２３】
図２に示すとおり、リード収容装置１は、概ね愛玩動物の首輪等に接続するリード３と、リード３を巻き付けて収納する略円環状のリール５と、各部品を内部に配設する略円盤状の筐体７と、リール５と嵌合して付勢を付加する歯車１１と、該歯車１１の内部に載置されるゼンマイバネ１７と、リール５の回転を制御する係合部材２１と、該係合部材２１の可動に付勢を付加するコイルバネ２５と、から構成されている。なお、筐体７の表面に化粧カバー８や、リード孔５１の滑りを向上するためのキャップ１０等を配設してもよい。
【００２４】
特に、略円盤状の筐体７は、略円環状の中空部分を有し、その一部が略円弧状の中空の把持部９を構成している。そして、筐体７の略円環状の中空部分（内部）に、略円環状のリール５が内蔵されている。なお、本実施形態のリード収容装置１では、愛玩動物に装着した首輪とリード３先端とを簡便に接続するための速結金具２７がリード３の先端側に設けられている。また、筐体７（把持部９）の一部にストラップ２９が設けられており、使用者が本リード収容装置１の使用時に手から本体が脱落することを防止している。
【００２５】
＜リード３の構造＞
次に、図３を用いてリード３の構造について詳細に説明する。図３は、リード３の構造を示す平面図である。図３に示すとおり、リード３は略紐状の部品であって、上述のとおり、リード３の先端に速結金具２７を具備している。
【００２６】
リード３は、例えばナイロン繊維やポリプロピレン繊維等を用いて構成した編紐、又はこれら繊維の混紡糸等を用いて構成した網紐である。リード３の直径は、愛玩動物の体長や体重等によって適宜決定することが好ましいが、具体的には１ｍｍ〜５ｍｍの範囲とし、より好ましくは１．５ｍｍ〜３ｍｍの範囲とすることが望ましい。
【００２７】
また、リード３の長さ寸法Ｌ１は、愛玩動物が所定の自由行動範囲を得られる長さであることが好ましく、更に愛玩動物と使用者との距離及び愛玩動物とその他（例えば散歩中の愛玩動物と車や他の通行人等）との距離を、使用者が決定容易な範囲の長さとする好ましく、具体的には２ｍ〜１０ｍの範囲とし、より好ましくは４ｍ〜６ｍの範囲とすることが望ましい。リード３の長さ寸法Ｌ１を上記範囲とすることで、使用者は本実施形態のリード収容装置１から外部に出たリード３の長さを、状況に応じて容易にコントロールすることができる。
【００２８】
本実施形態で用いる速結金具２７は、上述のとおり愛玩動物の首輪等に設けられたリード接続用ループ等に接続するための部品であって、一般的なカラビナ等、当該接続を簡便に行える機構を適宜備えていればよい。また、速結金具２７は例えば生地で構成されたストラップ等を介してリード３と接続し、よりリード３先端部の取扱性を向上したものであってもよい。
【００２９】
＜リール５の構造＞
次に、図４を用いてリール５の構造について詳細に説明する。図４は、リール５の構造を示す斜視図である。リール５は、上述したリード３を巻き付け、後述する筐体７内に収納するための部品である。
【００３０】
図４に示すとおり、リール５は、略円環状の部品であって、両面に側板３１が配置され、この側板３１の間に上記リード３を巻き付けるための溝３３が設けられていおり、樹脂等で形成されている。また、側板３１の表面には、後述する係合部２３に係合する被係合部１９が所定の間隔で連続して配設され、側板３１の外径と同心に表面を一周している。当該被係合部１９個々の間隔は、リード３を筐体から外部に引き出す際における最小延長寸法となるため、愛玩動物の体長や当該リール５の直径寸法に応じて決定することが望ましい。
【００３１】
更に、リール５の内周面には、後述する歯車１１が具備する第二ギア１５と嵌合する第一ギア１３が備わっている。第一ギア１３の凹凸はリール５の軸方向に伸び、リール５の内周面を一周するように配設されている。なお、この第一ギア１３の凹凸及び該凹凸のピッチは、後述する第二ギア１５と嵌合するよう形成することが望ましい。
【００３２】
＜歯車１１の構造＞
続いて、図５を用いて歯車１１の構造を詳細に説明する。図５は、歯車１１の構造を示す斜視図である。歯車１１は後述する筐体７内部に載置され、上述したリール５と共に回転駆動する部品である。
【００３３】
図５に示すとおり、歯車１１は、略円筒状の部品であって、内部に後述するゼンマイバネ１７を配設するための中空部３５が備わっており、樹脂等で形成されている。また、歯車１１の中心には正面と背面を連通する嵌合孔３７が備わっており、当該嵌合孔３７に後述する筐体７内部に載置された嵌合軸３９を挿通することにより、歯車１１が筐体７内で回転自在に載置することができる。
【００３４】
更に、歯車１１の外周面には、上述したリール５が具備する第一ギア１３と嵌合する第二ギア１５が備わっている。第二ギア１５の凹凸は歯車１１の軸方向に伸び、歯車１１の外周面を一周するように配設されている。なお、この第二ギア１５の凹凸及び該凹凸のピッチは、上述した第一ギア１３と嵌合するよう形成することが望ましい。
【００３５】
＜筐体７の構造＞
次に、図６（ａ）及び（ｂ）を用いて筐体７の構造について詳細に説明する。図６（ａ）及び（ｂ）は、筐体７の構造を示す図であって、図６（ａ）は、筐体７の内部を示す斜視図であり、図６（ｂ）は、筐体７の外部を示す斜視図である。本実施形態に用いる筐体７は、各部品を内部に収め、使用者が直接触れて把持する把持部９を一部に備えている。
【００３６】
図６（ａ）及び（ｂ）に示すとおり、本実施系形態で用いる筐体７は、樹脂等で形成された略円盤状の部品であって、正面から背面を連通する開口４１が備わっており、この開口４１の配置によって、略円弧状の把持部９が筐体７と離間距離を有しつつ一体的に形成される。また、筐体７の内部は中空となっていることから、リール５及び歯車１１等を内蔵することができ、概ね上述した歯車１１を回転自在に支持する嵌合軸３９と、後述する係合部材２１を摺動自在に支持する上方摺動面４３及び下方摺動面４５と、係合部材２１の摺動範囲を決定する支持部４７と、を具備している。
【００３７】
筐体７の内部について、より具体的に説明すると、筐体７には、上記開口４１により把持部９が形成され、この把持部９内を通過する略円環状のリール回転通路Ｒ１が筐体７内に形成される。リール回転通路Ｒ１には、上述したリール５が配設され、このリール回転通路Ｒ１を摺動回転するよう構成される。また、リール回転通路Ｒ１に配設されるリール５の第一ギア１３と歯車１１の第二ギア１５とが嵌合可能とするよう歯車１１を回転自在に配設するための嵌合軸３９が配設されている。嵌合軸３９は、筐体７内部において奥行方向Ｚに立設した略棒状の部位であって、側面には後述するゼンマイバネ１７を固定するためのスリット４８が奥行方向Ｚに配設されている。
【００３８】
嵌合軸３９の上方には、歯車１１と干渉しない位置に略板状の下方摺動面４５と、更に上方にこの下方摺動面４５に対して略並行に並ぶ略板状の上方摺動面４３と、が配設されている。下方摺動面４５と上方摺動面４３との離間距離は、後述する係合部材２１のサイズに応じて決定することが望ましい。また、開口４１の縁部には外部と筐体７内部とを隔てる縁４９が立設しているが、上記下方摺動面４５と上方摺動面４３とに隣接する部分周辺にはなく、係合部材２１の可動範囲を構成している。
【００３９】
下方摺動面４５と上方摺動面４３との間における所定の位置には、後述する係合部材２１の摺動範囲を限定する支持部４７が配設されている。また、筐体７の縁部には、外部と内部とを連通するリード孔５１が配設されており、リード孔５１を介してリード３が筐体７内部と外部とを移動する。更に、筐体７の縁部にはストラップ２９を接続するための固定リブ５４が配設されており、紐状のストラップ２９を接続して利便性及び操作性を向上している。
【００４０】
また、下方摺動面４５の開口４１側端部にはバネ受リブ４６が備わっており、後述する係合部材２１を筐体７内に配設する際、コイルバネ２５の端部を受ける。
【００４１】
＜ゼンマイバネ１７の構造＞
続いて、図７（ａ）及び（ｂ）を用いてゼンマイバネ１７の構造について詳細に説明する。図７（ａ）及び（ｂ）は、ゼンマイバネ１７の構造を示す図であって、図７（ａ）は、ゼンマイバネ１７の正面図であり、図７（ｂ）は、ゼンマイバネ１７の一部を断面視した側面図である。ゼンマイバネ１７は、歯車１１内に載置され、歯車１１とこれに嵌合するリール５との回転に抵抗又は付勢を付与する部品である。
【００４２】
図７（ａ）及び（ｂ）に示すとおり、ゼンマイバネ１７は、高い弾性を有する金属板を渦巻状に巻いて形成した部品である。上述のとおり、ゼンマイバネ１７は歯車１１内に載置されるものであって、歯車１１の回転に応じて巻き具合が変更され、元の状態に戻ろうとする作用を利用して歯車１１を逆回転させる動力源である。なお、ゼンマイバネ１７の中心側端部には、嵌合軸３９のスリット４８に係合する係合端５５が備わっている。
【００４３】
＜係合部材２１の構造＞
次に、図８を用いて係合部材２１の構造について詳細に説明する。図８は、係合部材２１の構造を示す斜視図である。係合部材２１は、その一部が筐体７内に配設され、使用者の操作に応じてリール５の回転を制止するトリガー状の部品である。
【００４４】
係合部材２１は、上述した下方摺動面４５と上方摺動面４３との間で摺動する部品であって、上述したコイルバネ２５を受けるバネ受け５７と、使用者の指が当接される指当て部５３と、リール５の被係合部１９と係合する係合部２３と、を具備して構成されている。
【００４５】
バネ受け５７は、略凹状でコイルバネ２５が方向Ｄ１に伸縮するよう形成されており、係合部２３は、略凸状で方向Ｄ１かつバネ受け５７の凹部と反対側に凸部が向くよう形成されている。係合部２３についてより具体的には、リール５の内周面側から双方の側板３１それぞれに配設された被係合部１９に係合できるよう先端がコの字状に形成されている。
【００４６】
＜各部品の嵌合＞
次に、図９を用いて本実施形態におけるリード収容装置１の構成について詳細に説明する。図９は、本実施形態におけるリード収容装置１の構成を示す断面図である。図９に示すとおり、本実施形態におけるリード収容装置１は、上述した各部品を筐体７内部の所定の位置に配設して構成されている。
【００４７】
各部品の配設位置について具体的には、リード３は速結金具２７と反対側の端部をリール５の溝３３近傍に固定し、リード３を溝３３内に巻き付けて収める。更に当該状態のリール５を筐体７の縁において、把持部９内を通過し、回転摺動するよう筐体７内に配設している。また、歯車１１は、内部にゼンマイバネ１７を載置したうえで、自身が備える嵌合孔３７に筐体７内部の嵌合軸３９を挿通し、更に嵌合軸３９のスリット４８にゼンマイバネ１７の係合端５５を係合することにより、配設されている。なお、上記リール５と歯車１１とは、リール５が内周面に具備する第一ギア１３と歯車１１が外周面に具備する第二ギア１５とが嵌合し、互いに共回りする。
【００４８】
上記のとおりリール５と歯車１１とを筐体７内に配置して双方を嵌合させた後、上方摺動面４３と下方摺動面４５との間に係合部材２１を配設する。係合部材２１の配設についてより具体的には、係合部材２１が具備するバネ受け５７内にコイルバネ２５一方の端部を挿入し、他方の端部を筐体７のバネ受けリブ４６に当接しつつ、係合部材２１を上方摺動面４３と下方摺動面４５との間で摺動自在に配設する。
【００４９】
係合部材２１の係合部２３が把持部９内のリール５に対向しているため、係合部材２１の摺動により、リール５に係合部２３が接近し、双方の側板３１に形成された被係合部１９に係合することができる。また、筐体７内部には支持部４７が備わっており、係合部材２１の摺動状況に応じて当該係合部材２１に当接し、摺動範囲を限定する。
【００５０】
上記状況を構成した後、リール５に巻き付けたリード３の先端に速結金具２７を接続し、筐体７の縁部に設けられたリード孔５１から外部に出した状態で筐体７を閉じることにより、本実施形態のリード収容装置１が構成される。
【００５１】
３．リード収容装置１の使用方法
次に、図１０（ａ）及び（ｂ）と、図１１（ａ）及び（ｂ）と、を用いて本実施形態におけるリード収容装置１の使用方法について詳細に説明する。図１０（ａ）及び（ｂ）は、本実施形態におけるリード収容装置１の使用時の内部を示す図であって、図１０（ａ）は、リード３を外部に繰り出す際におけるリール５及び歯車１１の動きを示す模式図であり、図１０（ｂ）は、リード３を外部に繰り出す際における係合部材２１及びリール５の動きを示す模式図である。また、図１１（ａ）及び（ｂ）は、本実施形態におけるリード収容装置１の使用時の内部を示す図であって、図１１（ａ）は、リード３を筐体７内部に巻き取る際におけるリール５及び歯車１１の動きを示す模式図であり、図１１（ｂ）は、リード３を筐体７内部に巻き取る際における係合部材２１及びリール５の動きを示す模式図である。
【００５２】
まず、リード３先端の速結金具２７を愛玩動物が装着した首輪等に接続した状態で、当該愛玩動物を所定の範囲内で運動させる状況を例に挙げて説明する。上述のとおり、本実施形態のリード収容装置１は、愛玩動物の行動範囲に応じてリード３の長さを任意に変更することができる。
【００５３】
図１０（ａ）及び（ｂ）に示すとおり、愛玩動物の行動範囲を拡大する場合は、係合部材２１を通常位置としたまま、所望の長さが外部に繰り出されるまでリード３を筐体７外部に引っ張る。この際、リード３の繰り出しに応じてリール５が回転し、リール５の内周面に配設された第一ギア１３と歯車１１の外周面に配設された第二ギア１５との嵌合により、歯車が共回りする。
【００５４】
歯車１１内部に配設されたゼンマイバネ１７の係合端５５が筐体７側（嵌合軸３９のスリット４８）に固定された状態で歯車１１が回転することになるため、ゼンマイバネ１７が歯車１１の回転に応じて巻かれ、ゼンマイが圧縮して付勢力が蓄積される。所望の長さになるまでリード３を外部に繰り出した後、係合部材２１の指当て部５３を把持部９側に引いて係合部材２１を摺動し、係合部２３を被係合部１９に係合することにより、リール５の回転を制止して固定することができる。上述の状態で係合部材２１の位置を固定することにより、リール５の回転が止められ、これに伴って筐体７外部に繰り出されたリード３の長さが維持される。
【００５５】
図１１（ａ）及び（ｂ）に示すとおり、愛玩動物の行動範囲を縮小する場合は、係合部材２１の係合部２３とリール５の被係合部１９との係合を解除して係合部材２１を通常位置に戻す。これにより、リール５の制止状態が解除され歯車１１内のゼンマイバネ１７の蓄えられた付勢力が解放され、リード３を外部に繰り出す際とは逆方向に歯車１１を付勢して回転させる。歯車１１の回転により、第二ギア１５と嵌合する第一ギア１３が応力を受け、リール５が共回りしてリード３を外部から筐体７内部に巻き取る。
【００５６】
上述のとおり、本実施形態のリード収容装置１は、リード３を巻き付けるリール５の回転により、筐体７外に繰り出すリード３の長さを調整可能にするものであるが、筐体７内におけるリール５の配設が、筐体７と、筐体７と一体的に形成された把持部９と、が双方の内部を連通して一周するリール回転通路Ｒ１を形成し、当該通路をリード３７が回転摺動するため、装置全体のサイズを大幅に小型化することができる。
【００５７】
本実施形態のリード収容装置１は、特に犬の散歩時の使用に適しているが、散歩時の飼い主は、身の回り品や排泄物処理具等の持参を余儀なくされるケースが多いため、リード３をまとめて持ち運べ、かつ装置が小型であることは非常に便利である。
【００５８】
以上、本実施形態におけるリード収容装置の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【産業上の利用可能性】
【００５９】
本実施形態におけるリード収容装置は、非常に小型で使用が容易に携帯でき、リードの繰り出し及び巻き取りが可能で、リード繰り出し範囲を利用者の操作により任意に選択できるものである。
【符号の説明】
【００６０】
１      リード収容装置
３      リード
５      リール
７      筐体
８      化粧カバー
９      把持部
１０    キャップ
１１    歯車
１３    第一ギア
１５    第二ギア
１７    ゼンマイバネ
１９    被係合部
２１    係合部材
２３    係合部
２５    コイルバネ
２７    速結金具
２９    ストラップ
３１    側板
３３    溝
３５    中空部
３７    嵌合孔
３９    嵌合軸
４１    開口
４３    上方摺動面
４５    下方摺動面
４６    バネ受けリブ
４７    支持部
４８    スリット
４９    縁
５１    リード孔
５３    指当て部
５４    固定リブ
５５    係合端
５７    バネ受け
Ｌ１    長さ寸法
Ｒ１    リール回転通路
Ｄ１    方向
Ｚ      奥行方向
【図１】
2019088231.tif 000003
【図２】
2019088231.tif 000004
【図３】
2019088231.tif 000005
【図４】
2019088231.tif 000006
【図５】
2019088231.tif 000007
【図６】
2019088231.tif 000008
【図７】
2019088231.tif 000009
【図８】
2019088231.tif 000010
【図９】
2019088231.tif 000011
【図１０】
2019088231.tif 000012
【図１１】
2019088231.tif 000013